(57)【要約】【課題】  多室形空気調和機の室外機２１および室内機１１の性能を十分発揮しでき、居住者の快適性を向上しながら、室外機２１の運転時間を短縮し、省エネルギーを達成しようとすることを課題とする。【解決手段】  複数の運転モードを切替える手段を有するものであって、ある一つのモードが、各室内機１１が個別に有する温度センサ１６からの検出値と設定温度情報とにより室内機１１の作動状態および停止状態を判断して空調を行うモードであり、他のモードが、特定の室内機１１ａが有する温度センサ１６からの検出値と設定温度情報とにより室内機１１の作動状態および停止状態を判断して、少なくとも２台以上の室内機１１が空調を行うモードである多室形空気調和機を構成する。【選択図】  図３
2006226550.tif 000002
【特許請求の範囲】
【請求項１】
１台の室外機に複数の室内機が接続されている多室形空気調和機において、
複数の運転モードを切替える手段を有するものであって、
ある一つのモードが、室内に配設された代表温度センサの検出値と設定温度情報とにより、室外機の運転制御を行い、該室外機の運転状況に同期してすべての室内機が作動状態とするモードであり、
他のモードが、室内に配設された代表温度センサの検出値と室温設定値とにより、室内機の作動可能状態を制御し、該作動可能状態において各室内機が個別に有する温度センサからの検出値と設定温度情報とにより当該室内機の作動制御を行うモードであることを特徴とする多室形空気調和機。
【請求項２】
１台の室外機に複数の室内機が接続されている多室形空気調和機において、
複数の運転モードを切替える手段を有するものであって、
ある一つのモードが、各室内機が個別に有する温度センサからの検出値と設定温度情報とにより室内機の作動状態および停止状態を判断して空調を行うモードであり、
他のモードが、特定の室内機が有する温度センサからの検出値と設定温度情報とにより室内機の作動状態および停止状態を判断して、少なくとも２台以上の室内機が空調を行うモードであることを特徴とする多室形空気調和機。
【請求項３】
設定切替手段により、前記特定の室内機を複数の室内機から選択可能とすることを特徴とする請求項１に記載の多室形空気調和機。
【請求項４】
前記複数の運転モードを切替える手段により、
特定の室内機が作動状態にあるときであって、他の各室内機が個別に有する温度センサからの検出値と設定温度情報とにより室内機の作動状態と判断したときに作動状態となり空調を行うモードを選択可能としたことを特徴とする請求項１もしくは２に記載の多室形空気調和機。
【請求項５】
室外機に、前記複数の運転モードを切替える手段もしくは、前記設定切替手段を、または、前記複数の運転モードを切替える手段と前記設定切替手段との両方を備えることを特徴とする請求項１ないし３のいずれか一項に記載の多室形空気調和機。
【請求項６】
室内機に、前記複数の運転モードを切替える手段もしくは、前記設定切替手段を、または、前記複数の運転モードを切替える手段と前記設定切替手段との両方を備えることを特徴とする請求項１ないし３のいずれか一項に記載の多室形空気調和機。
【請求項７】
通信網を介して送信される信号により、運転モードの切替または設定切替を行うことを特徴とする請求項１ないし３のいずれか一項に記載の多室形空気調和機。
【請求項８】
複数の多室形空気調和機の管理を行う集中監視システムより送信される信号により、運転モードの切替または設定切替を行うことを特徴とする請求項１ないし３のいずれか一項に記載の多室形空気調和機。
【発明の詳細な説明】
【技術分野】
【０００１】
本発明は、多室形空気調和機のエネルギー効率を向上させるための技術に関し、より詳しくは室内の快適さを保ちながら室外機の運転時間を短縮するための技術に関する。
【背景技術】
【０００２】
従来、室外機の設置空間を小さくするために、１台の室外機に複数の室内機を接続する多室形空気調和機が知られている。このような多室形空気調和機では、１台の室外機に接続された複数の室内機がそれぞれ個別に作動する構成となっており、各室内機に取り付けられた温度センサによる検出温度と設定温度とにより、暖房もしくは冷房を行う作動状態と、停止状態とを切替える構成となっている。
このような、構成においては、複数接続された室外機の作動により室外機が作動することとなり、室外機の運転時間が長くなる。
そこで、このような多室形空気調和機に対して、室外機の運転効率を考慮して、周期的に室外機の運転を停止するようにタイマーを設置するものも知れている（例えば特許文献１を参照）。
また、オフィスルームなどでは、ＯＡ機器の発熱や、パーティション等の障害物の複雑な配置から、温度環境が複雑になり、局所的に暑さや寒さを感じる場所が発生しやすい。また、ダストの吹き溜まりなどが発生しやすい傾向がある。
【特許文献１】特開２００１−１３３０１０号公報
【発明の開示】
【発明が解決しようとする課題】
【０００３】
上記従来の方法では、作動状態となる室内機が１台でもあれば室外機が運転をすることになり、複数の室内機が交互に作動状態となる場合には、室外機は常に運転をする必要がある。このため、室外機の運転時間が長くなり燃料消費量も増加することになる。
また、特許文献１に示すように、周期的に室外機の運転を停止するようにタイマーを設置する例では、室外機の運転時間が短くなり燃料消費量が減る分、室内の温度を考慮した空調にはならない。このため、室外機および室内機の性能を十分発揮しにくくなり、居住者のさらなる快適性を実現し難くなる。
そこで、本発明は、上記従来技術の問題点を踏まえて、多室形空気調和機の室外機および室内機の性能を十分発揮しでき、居住者の快適性を向上しながら、省エネルギーを達成しようとすることを課題とする。
さらに、発熱を行うＯＡ機器やパーティション等を配置するオフィス環境における大きな温度差および汚染物質の滞留を解消することを課題とする。
【課題を解決するための手段】
【０００４】
請求項１に記載のごとく、１台の室外機に複数の室内機が接続されている多室形空気調和機において、複数の運転モードを切替える手段を有するものであって、ある一つのモードが、室内に配設された温度センサの検出値と設定温度情報とにより、室外機の運転制御を行い、該室外機の運転状況に同期してすべての室内機が作動状態とするモードであり、他のモードが、室内に配設された温度センサの検出値と室温設定値とにより、室内機の作動可能状態を制御し、該作動可能状態において各室内機が個別に有する温度センサからの検出値と設定温度情報とにより当該室内機の作動制御を行うモードである多室形空気調和機を構成する。
【０００５】
請求項２に記載のごとく、１台の室外機に複数の室内機が接続されている多室形空気調和機において、複数の運転モードを切替える手段を有するものであって、ある一つのモードが、各室内機が個別に有する温度センサからの検出値と設定温度情報とにより室内機の作動状態および停止状態を判断して空調を行うモードであり、他のモードが、特定の室内機が有する温度センサからの検出値と設定温度情報とにより室内機の作動状態および停止状態を判断して、少なくとも２台以上の室内機が空調を行うモードである多室形空気調和機を構成する。
【０００６】
請求項３に記載のごとく、設定切替手段により、前記特定の室内機を複数の室内機から選択可能とする多室形空気調和機を構成する。
【０００７】
請求項４に記載のごとく、前記複数の運転モードを切替える手段により、特定の室内機が作動状態にあるときであって、他の各室内機が個別に有する温度センサからの検出値と設定温度情報とにより室内機の作動状態と判断したときに作動状態となり空調を行うモードを選択可能とした多室形空気調和機を構成する。
【０００８】
請求項５に記載のごとく、室外機に、前記複数の運転モードを切替える手段もしくは、前記設定切替手段を、または、前記複数の運転モードを切替える手段と前記設定切替手段との両方を備える多室形空気調和機を構成する。
【０００９】
請求項６に記載のごとく、室内機に、前記複数の運転モードを切替える手段もしくは、前記設定切替手段を、または、前記複数の運転モードを切替える手段と前記設定切替手段との両方を備える多室形空気調和機を構成する。
【００１０】
請求項７に記載のごとく、通信網を介して送信される信号により、運転モードの切替または設定切替を行う多室形空気調和機を構成する。
【００１１】
請求項８に記載のごとく、複数の多室形空気調和機の管理を行う集中監視システムより送信される信号により、運転モードの切替または設定切替を行う多室形空気調和機を構成する。
【発明の効果】
【００１２】
請求項１に記載のごとく、多室形空気調和機を構成するので、室外機の運転時間を短縮でき、室内機による室外機の利用効率を向上することができる。また、簡便な構成により省エネルギー運転を実現できる。
さらに、複数の室内機を同時に作動させることにより、オフィス環境等で室内空気の対流を発生させやすくなり、局所的な温度差や汚染物質の滞留を低減できる。
【００１３】
請求項２に記載のごとく、多室形空気調和機を構成するので、室外機の運転時間が減るので、燃料消費量を削減することができる。また、室温を考慮した運転を行うので快適性も大きく損なわれない。室外機および室内機の性能を十分発揮でき、居住者の快適性向上を省エネルギーで実現できる。
【００１４】
請求項３に記載のごとく、多室形空気調和機を構成するので、室内の負荷分布の変化に対応して、代表とする室内機を任意で選ぶことが可能になる。
【００１５】
請求項４に記載のごとく、多室形空気調和機を構成するので、各室内機が条件を判定し停止を行うので、過剰な空調を抑制し快適性を向上することができる。
【００１６】
請求項５に記載のごとく、多室形空気調和機を構成するので、ユーザーにより快適性を重視する運転モードと省力運転を重視する運転モードとを選択可能であるとともに、必要に応じて切替えることができ、ユーザーの意思変化に対応可能な多室形空気調和機を構成できる。
【００１７】
請求項６に記載のごとく、多室形空気調和機を構成するので、室内において運転モードの設定を変更でき、ユーザーによる操作性を確保できる。
【００１８】
請求項７記載のごとく、多室形空気調和機を構成するので、遠隔地においても設定の変更が容易となり、広域に設置された多室形空気調和機を管理可能となる。
【００１９】
請求項８に記載のごとく、多室形空気調和機を構成するので、複数個の空気調和機に対しても、集中管理を行うことができ、管理にかかるコストを低減でき、多室形空気調和機のランニングコストを低減できる。
【発明を実施するための最良の形態】
【００２０】
特定の室内機の運転状況に応じて他の室内機の運転制御を行い、室外機の運転時間を短縮することにより、室内空調のエネルギー効率を向上させる。
【実施例１】
【００２１】
次に、本発明の実施例について、図を用いて説明する。
図１は実施例１における多室形空気調和機の構成を示す模式図であり、図１（ａ）は全体構成図であり、図１（ｂ）は室内機の一例を示す図である。
この実施例においては、室内の特定の位置に配置された代表温度センサ１０の検出値と、室内設定温度としての設定値とにより、室外機の運転状態を制御する。
多室形空気調和機は、１つの室外機２１に対して複数個の室内機１１が接続した構成となっている。室外機２１と室内機１１・１１・・とは配管等により接続されており、室外機２１と室内機１１との間において熱交換を行う構成となっている。これにより、各室内機１１により室内空調が可能となっている。
室内機１１は、図１（ｂ）に示すごとく、温度センサ１６、熱交換器１７、ファン１４、モータ１３、コントローラ１２等を有するものであり、吸気口１５より室内の空気を取り込み、熱交換器１７を介して、排風口１８より空気を排出する。温度センサ１６は吸気口１５の近傍に設けられており、導入される室内空気温度を検出する。温度センサ１６はコントローラ１２に接続されており、コントローラ１２において温度を認識可能となっている。そして、コントローラ１２には室内設定温度が記憶されており、この設定温度に対する検出温度により、室内機１１の作動と停止の制御を行っている。室内機１１の作動状態は熱交換器１７により放熱もしくは吸熱を行うものであり、停止状態は熱交換器１７による熱交換をしない。ここで、ファン１４を停止しても、ファン１４によるサーキュレーションを行ってもよい。
室内機１１のコントローラ１２は室外機２１に接続しており、室外機２１に室内機１１の運転状態を伝達可能となっている。また、室内機１１においても、室外機２１の運転状態を認識可能となっている。
【００２２】
次に、室外機２１および室内機１１・１１・・の制御構成について、より詳しく説明する。図２は多室形空気調和機の制御構成を示す図であり、図２（ａ）は外機に同期させた制御構成を示し、図２（ｂ）は室外機の運転下において室内機を個別に作動させる制御構成を示す。
室外機２１の運転は、室内に配設された代表温度センサ１０の検出値と設定値との対比により行われる。なお、代表温度センサ１０の配設場所は、ユーザーにより任意に設定可能であり、ユーザーの求める室内環境の好みにより設定することができる。また、代表温度センサ１０は、温度情報もしくは作動・停止命令を室外機２１に伝達可能であればよく、有線接続や無線接続を利用することができる。そして、室内機１１を介して室外機２１に代表温度センサ１０よりの情報を伝達することも可能である。
本実施例の多室形空気調和機においては、少なくとも２つの運転モードを切替可能にしている。ひとつは、図２（ａ）に示すように、室外機２１の運転に同期して室内機１１・１１・・を作動させるモードであり、もうひとつは、図２（ｂ）に示すように、室外機２１が運転している状態において各室内機１１が作動可能となるモードである。
【００２３】
まず、室外機２１の運転に同期して室内機１１・１１・・を作動させるモードについて説明する。このモードは、図２（ａ）に示すように、室内に配設された代表温度センサ１０の検出値と設定値とが所定の関係になった場合に、室外機２１の運転とともに室内機１１が作動する。
Ｓ０は代表温度センサ１０の検出値に基づく、室外機２１の運転状態（上段：ＯＮ）と停止状態（下段：ＯＦＦ）の時間変化を示す。そして、Ｓ１・Ｓ２・Ｓ３・Ｓ４はそれぞれ４つの室内機１１・・の作動状態（上段：ＯＮ）と停止状態（下段：ＯＦＦ）の時間変化を示す。
図２（ａ）に示すように、Ｓ０がＯＮとなっている場合には、Ｓ１〜Ｓ４のすべてがＯＮとなり、Ｓ０がＯＦＦとなっている場合には、Ｓ１〜Ｓ４のすべてがＯＦＦとなる。
例えば、暖房時において代表温度センサ１０の検出値が設定温度より低くなった場合には、室外機２１が運転状態となる。そして、室外機２１が運転状態となる場合には、すべての室内機１１が作動状態となる。
すなわち、室内に設置される代表温度センサ１０の検出値により、各室内機１１・１１・・が作動し、室内空調を行う。これにより、室外機２１が運転状態となる場合には、室内機１１がすべて作動状態となり、室内機１１による室外機２１の利用効率が向上できる。そして、室外機２１の運転時間を短縮でき、室内空調における省エネルギーを実現できる。
【００２４】
次に、室外機２１が運転している状態において各室内機１１が作動可能となるモードについて説明する。このモードは、図２（ｂ）に示すように、室内に配設される代表温度センサ１０の検出値と室温の設定値とが所定の関係となった場合に、室外機２１が運転状態となり、特定の室内機１１が同期して作動状態となる。そして、他の室内機１１・１１・・は室外機２１が運転状態において、各室内機１１の判断により作動状態と停止状態とを選択可能とする。
図２（ｂ）に示すように、Ｓ０がＯＮとなっている場合には、室外機２１に同期する室内機１１の状態を示すＳ１はＯＮとなり、Ｓ０がＯＦＦとなっている場合には、Ｓ１はＯＦＦとなる。そして、Ｓ０がＯＮとなっている場合に、Ｓ２〜Ｓ４がＯＮ可能となり、Ｓ０がＯＦＦとなっている場合に、Ｓ２〜Ｓ４はＯＦＦとなる。
すなわち、室外機２１の運転状態は、特定室内機１１以外の室内機１１の作動可能状態となる。室外機２１の運転状態において、特定室内機１１以外の各室内機１１は、個々に取り付けられた温度センサ１６の検出値と設定値との関係により作動状態と停止状態とを判別する。
これにより、室内環境に応じて、外機２１を運転状態とすることができ、室内の快適性を意識しながら、外機２１の運転時間を短縮して、省エネルギー化を実現できる。
【００２５】
この他のモードとして、各室内機１１・１１・・の温度センサ１６と設定温度との関係により、各室内機１１が作動と停止を判断して、１つの室内機１１でも作動するときには室外機２１を運転状態とするモードを設定することも可能である。
これらのモードは、室外機２１もしくは室内機１１において選択可能に構成されている。
室外機２１において設定可能とする場合には、制御回路構成を単純にすることができるとともに、各室内機１１におけるコントローラ１２の構成を簡便にすることができる。
室内機１１において設定可能とする場合には、居住者によるモード変更を容易に行うことができ、空気調和装置の操作性を向上できる。
【００２６】
室内に配設された代表温度センサ１０の検出値と、室外機２１もしくは室内機１１において記憶される設定温度情報とにより、室外機２１の運転制御を行い、室外機２１の運転状況に同期してすべての室内機１１が作動状態とするモードでは、代表温度センサ１０の検出値に連動して、全室内機１１がすべて作動状態となる。
そして、室内に配設された代表温度センサ１０の検出値と室温設定値とにより、室内機１１の作動可能状態を制御し、該作動可能状態において各室内機１１が個別に有する温度センサ１６からの検出値とコントローラ１２に記憶されている設定温度情報とにより室内機１１の作動制御を行うモードでは、代表温度センサ１０の検出値により、室内機１１の作動可能状態が判定される。この作動可能状態において、各室内機１１が温度センサ１６の検出値とコントローラ１２に記憶されている設定値情報とにより作動制御の判断をする。なお、コントローラ１２に記憶される設定情報は、全ての室内機１１において同一設定情報としたり、各室内機１１において個別に設定情報を記憶させたりしてもよい。代表温度センサ１０の検出値と対比する室温設定値は、室外機２１において記憶保持したり、特定の室内機１１のコントローラ１２において記憶保持したりしてもよい。
【００２７】
このように、少なくとも２つ以上の室内機１１を同時に作動可能とすることにより、暖気もしくは冷気の排出による室内対流を相乗効果により強化することができ、室内の汚染物質（二酸化炭素やダスト）の局所への集中を解消することでき、省エネルギーによる空気調和機の運転を行うとともに、室内における空気対流を促進し、居住環境の改善を行いやすい状態を提供可能となる。
【実施例２】
【００２８】
次に、多室形空気調和機の実施例２について説明する。図３は実施例２の構成を示す図であり、図３（ａ）は実施例２の多室形空気調和機の構成を示す図であり、図３（ｂ）は特定室内機に他の室内機を連動させる制御構成を示す図であり、図３（ｃ）は特定室内機による他の室内機の制御構成を示す図である。
この実施例においては、室外機２１に接続される複数の室内機１１・１１・・の内から、１つの室内機１１を特定室内機１１ａとして選択し、この特定室内機１１ａの温度センサからの検出値と特定室内機１１ａに記憶保持される設定温度情報とにより、室内機の作動状態および停止状態を判断して、特定室内機１１ａを含む少なくとも２台以上の室内機１１が空調を行う制御モード、すなわち特定室内機１１ａにより、他の室内機１１・・の作動を許可する制御モード、を選択可能としている。
そして、各室内機１１が個々に温度センサ１６と設定温度情報とにより、作動と停止とを判別し、室内機１１の作動と連動して室外機２１が運転状態となる制御モード、すなわち個別制御モード、を選択可能としている。個別制御モードにおいては、各室内機１１・・が作動時に個別に室外機２１の運転要求を行い、停止時に室外機２１の停止要求を行う。室外機２１は室内機１１よりの要求により運転制御される。
【００２９】
特定室内機１１ａにより、他の室内機１１・・の作動を許可する制御モードにおいては、特定室内機１１ａの吸気口１５近傍に配設された温度センサ１６の検出値と設定温度情報とにより特定室内機１１ａの作動と停止の制御を行う。
図３（ｂ）において、Ｓ１は室内機１１ａの運転状態（上段：ＯＮ）と停止状態（下段：ＯＦＦ）の時間変化を示す。そして、Ｓ２・Ｓ３・Ｓ４はそれぞれ残る室内機１１・・の作動状態（上段：ＯＮ）と停止状態（下段：ＯＦＦ）の時間変化を示す。
図３（ｂ）に示すように、Ｓ１がＯＮとなっている場合には、Ｓ２〜Ｓ４のすべてがＯＮとなり、Ｓ１がＯＦＦとなっている場合には、Ｓ２〜Ｓ４のすべてがＯＦＦとなる。
例えば、暖房時において室内機１１ａの温度センサ１６の検出値が設定温度より低くなった場合には、室内機１１ａが作動状態となり、室外機２１の運転が開始される。そして、これに同期して他の室内機１１が作動状態となる。そして、室内機１１ａの温度センサ１６の検出値が設定温度より高くなると、室内機１１ａが停止状態となり、室外機２１の運転が停止される。そして、これに同期して他の室内機１１が停止状態となる。
すなわち、室内機１１ａの温度センサ１６の検出値により、他の室内機１１・・が作動し、室内空調を行う。これにより、室外機２１の運転状態には、室内機１１がすべて作動状態となり、室内機１１による室外機２１の利用効率を高くできる。そして、室外機２１の運転時間を短縮でき、室内空調における省エネルギーを実現できる。
【００３０】
特定室内機１１ａにより、他の室内機１１・・の作動を許可する制御モードにおいては、特定室内機１１ａが作動状態である場合に、他の室内機１１・・の作動が許可され、この許可状態において他の室内機１１の温度センサ１６と設定温度情報とによる個別判断がなされ、作動と停止の制御を行う。
図３（ｃ）に示すように、Ｓ１がＯＮとなっている場合には、Ｓ２〜Ｓ４がＯＮ可能となり、Ｓ１がＯＦＦとなっている場合には、Ｓ２〜Ｓ４のすべてがＯＦＦとなる。Ｓ２およびＳ３において示す２点鎖線は、該当する室内機１１の温度センサ１６による判断結果の一例を示すものであり、Ｓ１がＯＦＦとなっている場合に室内機１１は作動せず、室内機１１の温度センサ１６による判断結果がＯＮであり、かつＳ１がＯＮである場合に、室内機１１がＯＮとなる。
例えば、暖房時において室内機１１ａの温度センサ１６の検出値が設定温度より低くなった場合には、室内機１１ａが作動状態となり、室外機２１の運転が開始される。そして、他の室内機１１は作動可能状態となる。この状態において、室内機１１は個々に設けられた温度センサ１６により温度を検出して、コントローラ１２に保持される設定温度情報と比較し、検出温度が設定温度より低い場合には作動状態となる。
さらに、室内機１１ａの温度センサ１６の検出値が設定温度以上となった場合には、室内機１１ａが停止状態となり、室外機２１が停止する。そして、他の室内機１１は作動不可状態となる。この状態において、室内機１１は個々に設けられた温度センサ１６により設定温度以下の温度を検出しても作動状態にはならない。
このように、特定室内機１１ａを選択し、特定室内機１１ａの作動状態に合わせて他の室内機１１を作動可能とすることにより、室外機２１の利用効率を向上させながら、運転時間を短くできる。
また複数の室内機１１が同時に作動することにより発生する室内対流を気体でき、室内環境における汚染物質の対流を抑制できる。
【００３１】
特定室内機１１ａは、室外機２１に接続される室内機１１の内から、任意に選択することが可能である。
特定室内機１１ａの設定手法としては、特定室内機１１ａにより室外機２１が運転状態を制御され、他の室内機１１・・が特定室内機１１ａの作動状態において作動可能となればよく、種々の設定方法をとることができる。例えば、室外機２１において設定する方法、各室内機１１・・において設定する手法等をとることが出来る。
室外機２１において設定する方法としては、室外機２１に装着されるコントローラにおいて、特定室内機１１ａのみの運転要求を受け入れるように設定する。
室内機１１において設定する方法としては、室内機１１において特定室内機１１ａに設定されたもののみが室外機２１に運転要求を行うように設定する。
この他に、特定室内機１１ａ以外の室内機１１・・に対して、特定室内機１１ａでは無い旨の情報設定を行い、室外機２１に運転要求をしないもしくは、室外機２１において運転要求を拒否する設定とすることができる。
【００３２】
多室形空気調和機は、通信回線などを介して、通信操作することができ、通信操作により、前述の制御モードの設定や、特定室内機の設定を行うことができる。
図４は多室形空気調和機の通信制御構成を示す図である。
多室形空気調和機には、通信操作を行うサーバー３０と通信網３１を介して、情報の送受信をおこなう通信部が備えられており、この通信部を介して多室形空気調和機の設定変更および多室形空気調和機の状態や設定情報の参照が行われる。
図４に示す例においては、室外機２１に通信部が設けられており、サーバー３０においては、各室外機２１ａ・２１ｂ・２１ｃ・・が認識・識別されており、命令の送信および状態の参照が可能となっている。なお、サーバー３０の代わりに、室外機２１に対して情報の送受信可能な情報端末を利用できる。
これにより、サーバー３０より、各室外機２１ａ・２１ｂ・２１ｃ・・に対して設定の変更を行うことができ、制御モードの変更および特定室内機１１ａの設定を行うことができる。
また、通信網３１としては、同一建物における通信線や、無線通信、一般公衆電話回線や、インターネット通信網などを利用することができる。
このように、複数の多室形空気調和機を通信により設定変更可能とすることにより、多室形空気調和機の設定変更にかかる労力を軽減でき、メンテナンス費などの多室形空気調和機のランニングコストを低減できる。
また、ユーザーにおいて、設定変更等の技術負担を強いることなく、省エネルギーであって居住空間の快適性を維持できる多室形空気調和機を提供することができる。
さらに、複数の多室形空気調和機を集中管理することができ、ユーザーの設定変更の要望に対してすぐに対応することが可能となるとともに、遠隔地においても省エネルギーであって居住空間の快適性を維持できる多室形空気調和機を提供することができる。
【図面の簡単な説明】
【００３３】
【図１】実施例１における多室形空気調和機の構成を示す模式図。
【図２】多室形空気調和機の制御構成を示す図。
【図３】実施例２の構成を示す図。
【図４】多室形空気調和機の通信制御構成を示す図。
【符号の説明】
【００３４】
１０  代表温度センサ
１１  室内機
１２  コントローラ
１３  モータ
１４  ファン
１５  吸気口
１６  温度センサ
１７  熱交換器
１８  排風口
２１  室外機
３０  サーバー
３１  通信網
【図１】
2006226550.tif 000003
【図２】
2006226550.tif 000004
【図３】
2006226550.tif 000005
【図４】
2006226550.tif 000006